(57)【特許請求の範囲】
【請求項１】
自装置を操作する操作者の特徴を示す信号を検出する複数の検出部と、
前記複数の検出部によりそれぞれ検出された信号から、各信号の時間的または空間的な変化のパターンを表すリズム情報をそれぞれ抽出する抽出部と、
前記抽出された各リズム情報の組み合わせに基づき、前記操作者を特定する対象特定部と、
前記特定された操作者に基づき、前記各リズム情報の出力方法を決定する出力方法決定部と、
を備えることを特徴とする電子装置。
【請求項２】
前記各リズム情報に基づく信号を出力する複数の出力部と、
前記出力方法決定部により決定された出力方法に基づいて、前記各リズム情報に基づく信号を前記複数の出力部の少なくともいずれか１つに振り分ける制御部を備えることを特徴とする請求項１に記載の電子装置。
【請求項３】
操作者を示す対象情報と出力方法を示す情報とが関連付けられて記憶されている出力部記憶部を更に備え、
前記出力方法決定部は、前記特定された操作者を示す対象情報に対応する出力方法を示す情報を前記出力部記憶部から読み出すことにより、前記各リズム情報の出力方法を決定することを特徴とする請求項１または請求項２に記載の電子装置。
【請求項４】
前記各リズム情報の組み合わせと操作者を示す対象情報とが関連付けられて記憶されている記憶部を更に備え、
前記対象特定部は、前記抽出された各リズム情報の組み合わせに対応する対象情報を前記記憶部から読み出すことにより、前記操作者を特定することを特徴とする請求項１から請求項３のいずれか１項に記載の電子装置。
【請求項５】
前記制御部は、前記各リズム情報に基づく信号を、同時に複数の前記出力部から出力するよう制御することを特徴とする請求項２から請求項４のいずれか１項に記載の電子装置。
【請求項６】
前記制御部は、複数の前記リズム情報を合成して１つのリズム情報を生成し、生成されたリズム情報に基づく信号を、１つの前記出力部から出力するように制御することを特徴とする請求項２から請求項５のいずれか１項に記載の電子装置。
【請求項７】
自装置を操作する操作者の特徴を示す信号を検出する複数の検出部を備える電子装置が実行する信号振り分け方法であって、
前記複数の検出部によりそれぞれ検出された信号から、各信号の時間的または空間的な変化のパターンを表すリズム情報をそれぞれ抽出する抽出手順と、
前記抽出された各リズム情報の組み合わせに基づき、前記操作者を特定する対象特定手順と、
前記特定された操作者に基づき、前記各リズム情報の出力方法を決定する出力方法決定手順と、
を有することを特徴とする信号振り分け方法。
【請求項８】
自装置を操作する操作者の特徴を示す信号を検出する複数の検出部を備える電子装置のコンピュータに、
前記複数の検出部によりそれぞれ検出された信号から、各信号の時間的または空間的な変化のパターンを表すリズム情報をそれぞれ抽出する抽出ステップと、
前記抽出された各リズム情報の組み合わせに基づき、前記操作者を特定する対象特定ステップと、
前記特定された操作者に基づき、前記各リズム情報の出力方法を決定する出力方法決定ステップと、
を実行させるためのプログラム。
【発明の詳細な説明】
【技術分野】
【０００１】
本発明は、電子装置、信号振り分け方法およびプログラムに関する。
【背景技術】
【０００２】
従来、電子装置は、生体情報を検知するセンサにより検出された信号を用いて、自装置の操作者を特定してきた。特許文献１には、携帯電話端末が、電子メールの送信を行うために、操作者が送信キーを押下操作したとき、その送信キーに内蔵されている指紋センサにより、その操作者の指紋を読み取る。そして、携帯電話端末が、その指紋のパターン情報のファイルを、電子メールに添付して送信する。受信側の携帯電話端末では、電子メールに添付されていた指紋パターンと、予め内部に登録してある送信者の指紋パターンとを比較することにより、電子メールの送信者が予め内部に登録してある送信者であるか否か判定することが示されている。
【先行技術文献】
【特許文献】
【０００３】
【特許文献１】特開２００６−２１５７０５号公報
【発明の概要】
【発明が解決しようとする課題】
【０００４】
特許文献１に示されているように、操作者を特定するには、指紋などの生体情報を検知する必要がある。操作者の指紋と、予め登録された指紋とを照合するには、指紋を登録したときと指を同じ方向、同じ傾き、同じ圧力で押さなければ、操作者の指紋と予め登録された指紋とが同一と判定されることがないので、簡易に自装置の操作者を特定できないという問題があった。
【０００５】
そこで本発明は、上記問題に鑑みてなされたものであり、簡易に自装置を操作する操作者を特定し、特定した操作者を示す情報を自装置の外部に報知することを可能とする電子装置、信号振り分け推定方法およびプログラムを提供することを課題とする。
【課題を解決するための手段】
【０００６】
上記の課題を解決するために、本発明の一態様である電子装置は、自装置を操作する操作者の特徴を示す信号を検出する複数の検出部と、前記複数の検出部によりそれぞれ検出された信号から、各信号の時間的または空間的な変化のパターンを表すリズム情報をそれぞれ抽出する抽出部と、前記抽出された各リズム情報の組み合わせに基づき、前記操作者を特定する対象特定部と、前記特定された操作者に基づき、前記各リズム情報の出力方法を決定する出力方法決定部と、を備えることを特徴とする。
【０００７】
また、本発明の一態様である信号振り分け方法は、自装置を操作する操作者の特徴を示す信号を検出する複数の検出部を備える電子装置が実行する信号振り分け方法であって、前記複数の検出部によりそれぞれ検出された信号から、各信号の時間的または空間的な変化のパターンを表すリズム情報をそれぞれ抽出する抽出手順と、前記抽出された各リズム情報の組み合わせに基づき、前記操作者を特定する対象特定手順と、前記特定された操作者に基づき、前記各リズム情報の出力方法を決定する出力方法決定手順と、を有することを特徴とする。
【０００８】
また、本発明の一態様であるプログラムは、自装置を操作する操作者の特徴を示す信号を検出する複数の検出部を備える電子装置のコンピュータに、前記複数の検出部によりそれぞれ検出された信号から、各信号の時間的または空間的な変化のパターンを表すリズム情報をそれぞれ抽出する抽出ステップと、前記抽出された各リズム情報の組み合わせに基づき、前記操作者を特定する対象特定ステップと、前記特定された操作者に基づき、前記各リズム情報の出力方法を決定する出力方法決定ステップと、を実行させるためのプログラムである。
【発明の効果】
【０００９】
本発明によれば、簡易に自装置を操作する操作者を特定し、特定した操作者を示す情報を自装置の外部に報知することができる。
【図面の簡単な説明】
【００１０】
【図１】本発明の実施形態における電子装置のブロック構成図である。
【図２】記憶部に記憶されているテーブルＴ１の一例である。
【図３】記憶部２２に記憶されているテーブルＴ２からＴ５の一例である。
【図４】記憶部に記憶されているテーブルＴ６からＴ８の一例である。
【図５】出力部記憶部に記憶されているテーブルＴ９とテーブルＴ１０の一例である。
【図６】本発明の実施形態における電子装置の処理の流れを示したフローチャートである。
【発明を実施するための形態】
【００１１】
以下、本発明の実施形態について、図面を参照して詳細に説明する。図１は、本発明の実施形態における電子装置１のブロック構成図である。
電子装置１は、検出ユニット１０と、抽出部２１と、記憶部２２と、対象特定部２３と、出力部記憶部２４と、出力方法決定部２５と、制御部２６と、出力ユニット３０と、通信部４０とを備える。
【００１２】
まず、本発明の実施形態における電子装置１の概要について説明する。電子装置１は、検出ユニット１０が備える複数の検出部により、検出の対象となる人または物の特徴を示す信号を複数種類検出する。そして、電子装置１は、検出された複数種類の信号のそれぞれについてリズムを検出し、そのリズム情報の組み合わせに基づいて対象を特定する。電子装置１は、特定された対象に応じて、検出された複数のリズム情報を複数の出力部にどのように振り分けるか決定し、その振り分け方に応じて、検出されたそれぞれのリズム情報に基づく信号を各出力部に出力する。各出力部は、入力されたリズム情報に基づく信号に基づいて、自装置の外部に報知する。
【００１３】
これによれば、電子装置１は、検出の対象となる人または物の特徴に応じたパターンで画像または映像を表示させたり、光を点滅させたり、音を出力したり、自装置を振動させたりし、その組み合わせも検出対象に応じて設定することができるので、電子装置１が発する画像または映像と光と音と振動の出力パターンとその組み合わせを人間が認識することにより、人間は電子装置１が検出の対象とした人または物を特定することができる。
【００１４】
続いて、電子装置１が備える各機能ブロックの処理について説明する。検出ユニット１０は、検出の対象となる人または物から該人または物の特徴を示す信号を検出する複数の検出部を備える。具体的には、本実施形態では、一例として検出ユニット１０は、撮像部１１と、動き検出部１２と、姿勢検出部１３と、接触検出部１４と、脈拍検出部１５と、血流検出部１６と、湿度検出部１７とを備える。
なお、検出ユニット１０が備える検出部は同一の検出部が複数あってもよい。また、検出ユニット１０が備える検出部は複数あればよい。
【００１５】
撮像部１１は、自装置の外部の被写体を撮像するイメージセンサである。撮像部１１は、電子装置１が検出の対象とする人または物を撮像し、撮像により得られた画像データを生成し、生成した画像データを抽出部２１に出力する。
【００１６】
動き検出部１２は、自装置の筐体の動きを検出するセンサである。具体的には、例えば、動き検出部１２は、操作者により自装置が動かされたときの自装置の筐体の動きを検出し、検出した動きの情報を抽出部２１に出力する。動き検出部１２としては、例えば加速度センサなどが設けられている。
【００１７】
姿勢検出部１３は、電子装置１の姿勢を検出するセンサである。具体的には、例えば、姿勢検出部１３は、操作者により自装置が動かされたときの自装置の姿勢を検出し、検出した姿勢を示す情報を抽出部２１に出力する。姿勢検出部１３としては、例えば３軸加速度センサやジャイロセンサ、地磁気センサなどが設けられている。
【００１８】
接触検出部１４は、自装置の筐体の側面に備えられた接触感知センサであり、側面の長手方向に沿って所定の分割数（例えば、９分割）で区切られており、区切られたセンサ毎に、接触の有無を検出することができる。
接触検出部１４は、操作者により自装置が触れられたときの、各位置における接触の有無を検出し、検出された各位置における接触の有無を示す情報を抽出部２１に出力する。接触検出部１４としては、例えば、静電容量型の接触感知センサが設けられている。
【００１９】
脈拍検出部１５は、脈拍を検出するセンサである。脈拍検出部１５は、検出の対象とする人（例えば、自装置の操作者）の脈拍を検出し、検出した脈拍を示す情報を抽出部２１に出力する。脈拍検出部１５としては、例えば、イヤフォン型の脈拍センサなどが設けられている。
【００２０】
血流検出部１６は、血流を検出するセンサである。血圧検出部１７は、検出の対象とする人（例えば、自装置の操作者）の血流を検出し、検出した血流を示す情報を抽出部２１に出力する。血流検出部１６としては、例えば、超音波血流計などが設けられている。
【００２１】
湿度検出部１７は、自検出部周囲の湿度を検出するセンサである。湿度検出部１７としては、自検出部周囲の湿度を検出し、検出した湿度を示す情報を抽出部２１に出力する。湿度検出部１７としては、例えば、湿度計などが設けられている。
【００２２】
抽出部２１は、検出ユニット１０における複数の検出部によりそれぞれ検出された信号から、各信号の時間的または空間的な変化のパターンを表すリズム情報をそれぞれ抽出し、抽出した各リズム情報を対象特定部２３に出力する。
具体的には、例えば、抽出部２１は、撮像部１１から入力された１枚の画像を構成する画像データにおいて、検出対象となるものを抜き出し、外光の状況から検出対象の明度を一定値にし、各画素における輝度値（例えば、０から２５５）や彩度、色度、隣接画素とのコントラスト比等を、上の行から行毎に順に横一列に並べたものを１つの波と捉え、その波の周波数と振幅とを算出し、その周波数の情報と振幅の情報とを含む画像リズム情報Ｒｙを対象特定部２３に出力する。
【００２３】
同様に、例えば、抽出部２１は、動き検出部１２から入力された動きの情報から、所定の基準点と自装置の間の距離の時間的な変化を１つの波と捉え、その波の周波数と振幅とを算出し、その周波数の情報と振幅の情報とを含む動きリズム情報Ｒｍを対象特定部２３に出力する。
【００２４】
同様に、例えば、抽出部２１は、姿勢検出部１３から入力された姿勢を示す情報から、ある平面における所定の基準姿勢からの姿勢の回転量の時間的な変化を１つの波と捉え、その波の周波数と振幅とを算出し、その周波数の情報と振幅の情報とを含む姿勢リズム情報Ｒａを対象特定部２３に出力する。
【００２５】
同様に、例えば、抽出部２１は、接触検出部１４から入力された各位置における接触の有無の空間分布を１つの波と捉え、その波の周波数と振幅とを算出し、その周波数の情報と振幅の情報とを含む接触リズム情報Ｒｓを対象特定部２３に出力する。
【００２６】
同様に、例えば、抽出部２１は、脈拍検出部１５から入力された脈拍を示す情報から拍動の有無を１つのリズムと捉え、そのリズムの周波数を算出し、その周波数の情報を含む脈拍リズム情報Ｒｐを対象特定部２３に出力する。
【００２７】
同様に、例えば、抽出部２１は、血流検出部１６から入力された血流を示す情報から、血流量の時間変化を１つの波と捉えて、その波の周波数と振幅とを算出し、その周波数の情報と振幅の情報とを含む血流リズム情報Ｒｂを対象特定部２３に出力する。
【００２８】
同様に、例えば、抽出部２１は、湿度検出部１７から入力された湿度を示す情報から、湿度の時間変化を１つの波と捉え、その波の周波数と振幅とを算出し、その周波数の情報と振幅の情報とを含む湿度リズム情報Ｒｈを対象特定部２３に出力する。
【００２９】
記憶部２２には、リズム情報の組み合わせと対象を示す対象情報とが関連付けられて記憶されている。具体的には、例えば、記憶部２２には、テーブルＴ１に、画像リズム情報Ｒｙのｉｄ値、動きリズム情報Ｒｍのｉｄ値、姿勢リズム情報Ｒａのｉｄ値、接触リズム情報Ｒｓのｉｄ値、脈拍リズム情報Ｒｐのｉｄ値、血流リズム情報Ｒｂのｉｄ値および湿度リズム情報Ｒｈのｉｄ値の組み合わせと、検出対象を識別する対象情報とが関連付けられて記憶されている（図２参照）。
【００３０】
記憶部２２に記憶されているテーブルについて図２を用いて説明する。図２は、記憶部２２に記憶されているテーブルＴ１の一例である。テーブルＴ１には、対象情報と各リズム情報の組み合わせとが関連付けられて記憶されている。テーブルＴ１の各項目の値は、各リズム情報がどのようなリズム情報であるか示す固有のｉｄ値である。
例えば、対象情報Ａについては、画像リズム情報Ｒｙのｉｄ値が１で、動きリズム情報Ｒｍのｉｄ値が２で、姿勢リズム情報Ｒａのｉｄ値が３で、接触リズム情報Ｒｓのｉｄ値が４で、脈拍リズム情報Ｒｐのｉｄ値が３で、血流リズム情報Ｒｂのｉｄ値が２で、湿度リズム情報Ｒｈのｉｄ値が１である。このように、テーブルＴ１では、各リズム情報のｉｄ値の組み合わせに対して、対象情報が一意に定まるようになっている。
【００３１】
また、記憶部２２には、テーブルＴ２からテーブルＴ７に、上記各リズム情報のｉｄ値と、そのリズム情報に含まれる周波数の情報と振幅の情報とが関連付けられて記憶されている（図３、図４参照）。但し、脈拍リズム情報Ｒｐのｉｄ値は、脈拍の周波数を示す情報と関連付けられて記憶部２２に記憶されている（図４（ａ）のテーブルＴ６参照）。
【００３２】
図３は、記憶部２２に記憶されているテーブルＴ２からＴ５の一例である。各テーブルの振幅の値は、所定の値（ここでは、１０）で正規化された値である。
図３（ａ）は、記憶部２２に記憶されているテーブルＴ２の一例である。テーブルＴ２には、画像リズム情報Ｒｙのｉｄ値と画像リズム情報Ｒｙに含まれる周波数および振幅とが関連付けられて記憶されている。例えば、画像リズム情報Ｒｙのｉｄ値が１の場合、その画像リズムの周波数は１Ｈｚで、振幅は５である。このように、テーブルＴ２では、画像リズム情報Ｒｙのｉｄ値に対して、画像リズムの周波数および振幅の組み合わせが一意に定まるようになっている。
【００３３】
図３（ｂ）は、記憶部２２に記憶されているテーブルＴ３の一例である。テーブルＴ３には、動きリズム情報Ｒｍのｉｄ値と動きリズム情報Ｒｍに含まれる周波数および振幅とが関連付けられて記憶されている。例えば、動きリズム情報Ｒｍのｉｄ値が１の場合、その動きリズムの周波数は３Ｈｚで、振幅は７である。このように、テーブルＴ３では、動きリズム情報Ｒｍのｉｄ値に対して、動きリズムの周波数および振幅の組み合わせが一意に定まるようになっている。
【００３４】
図３（ｃ）は、記憶部２２に記憶されているテーブルＴ４の一例である。テーブルＴ４には、姿勢リズム情報Ｒａのｉｄ値と姿勢リズム情報Ｒａに含まれる周波数および振幅とが関連付けられて記憶されている。例えば、姿勢リズム情報Ｒａのｉｄ値が１の場合、その姿勢リズムの周波数は５Ｈｚで、振幅は９である。このように、テーブルＴ４では、姿勢リズム情報Ｒａのｉｄ値に対して、姿勢リズムの周波数および振幅の組み合わせが一意に定まるようになっている。
【００３５】
図３（ｄ）は、記憶部２２に記憶されているテーブルＴ５の一例である。テーブルＴ５には、接触リズム情報Ｒｓのｉｄ値と接触リズム情報Ｒｓに含まれる周波数および振幅とが関連付けられて記憶されている。例えば、接触リズム情報Ｒｓのｉｄ値が１の場合、その接触リズムの周波数は７Ｈｚで、振幅は１である。このように、テーブルＴ５では、接触リズム情報Ｒｓのｉｄ値に対して、接触リズムの周波数および振幅の組み合わせが一意に定まるようになっている。
【００３６】
図４は、記憶部２２に記憶されているテーブルＴ６からＴ８の一例である。図３と同様に、各テーブルの振幅の値は、所定の値（ここでは、１０）で正規化された値である。
図４（ａ）は、記憶部２２に記憶されているテーブルＴ６の一例である。テーブルＴ６には、脈拍リズム情報Ｒｐのｉｄ値と脈拍リズム情報Ｒｐに含まれる周波数とが関連付けられて記憶されている。例えば、脈拍リズム情報Ｒｐのｉｄ値が１の場合、その接触リズムの周波数は５Ｈｚである。このように、テーブルＴ６では、脈拍リズム情報Ｒｐのｉｄ値に対して、脈拍リズムの周波数が一意に定まるようになっている。
【００３７】
図４（ｂ）は、記憶部２２に記憶されているテーブルＴ７の一例である。テーブルＴ７には、血流リズム情報Ｒｂのｉｄ値と血流リズム情報Ｒｂに含まれる周波数および振幅とが関連付けられて記憶されている。例えば、血流リズム情報Ｒｂのｉｄ値が１の場合、その接触リズムの周波数は５Ｈｚで、振幅は５である。このように、テーブルＴ７では、血流リズム情報Ｒｂのｉｄ値に対して、血流リズムの周波数および振幅の組み合わせが一意に定まるようになっている。
【００３８】
図４（ｃ）は、記憶部２２に記憶されているテーブルＴ８の一例である。テーブルＴ８には、湿度リズム情報Ｒｈのｉｄ値と湿度リズム情報Ｒｈに含まれる周波数および振幅とが関連付けられて記憶されている。例えば、湿度リズム情報Ｒｈのｉｄ値が１の場合、その接触リズムの周波数は３Ｈｚで、振幅は３である。このように、テーブルＴ８では、湿度リズム情報Ｒｈのｉｄ値に対して、湿度リズムの周波数および振幅の組み合わせが一意に定まるようになっている。
【００３９】
図１に戻って、対象特定部２３は、抽出部２１により抽出されたリズム情報のそれぞれの組み合わせに基づき、前記人または物を特定する。具体的には、対象特定部２３は、抽出された各リズム情報を記憶部２２に記憶されている各テーブル（Ｔ２〜Ｔ７）と照合し、各リズム情報について、リズム情報のｉｄ値を抽出する。続いて、対象特定部２３は、抽出した各リズム情報のｉｄ値を記憶部２２に記憶されているテーブルＴ１と照合し、抽出した各リズム情報のｉｄ値の組み合わせに合致する対象情報を読み出す。これにより、対象特定部２３は対象を特定することができる。対象特定部２３は、読み出した対象を示す対象情報を制御部２６に出力する。
【００４０】
続いて、対象特定部２３の処理の具体例について説明する。対象特定部２３は、抽出部２１から供給された画像リズム情報Ｒｙに含まれる周波数が１Ｈｚと振幅が５の場合、記憶部２２に記憶されているテーブルＴ２から画像リズム情報Ｒｙのｉｄ値として１を抽出する。
同様に、対象特定部２３は、抽出部２１から供給された動きリズム情報Ｒｍに含まれる周波数が７Ｈｚと振幅が２の場合、記憶部２２に記憶されているテーブルＴ３から動きリズム情報Ｒｍのｉｄ値として２を抽出する。
【００４１】
同様に、対象特定部２３は、例えば抽出部２１から供給された姿勢リズム情報Ｒａに含まれる周波数が９Ｈｚと振幅が４の場合、記憶部２２に記憶されているテーブルＴ４から姿勢リズム情報Ｒａのｉｄ値として３を抽出する。
同様に、対象特定部２３は、例えば抽出部２１から供給された接触リズム情報Ｒｓに含まれる周波数が１６Ｈｚと振幅が７の場合、記憶部２２に記憶されているテーブルＴ５から接触リズム情報Ｒｓのｉｄ値として４を抽出する。
【００４２】
同様に、対象特定部２３は、例えば抽出部２１から供給された脈拍リズム情報Ｒｐに含まれる周波数が１Ｈｚの場合、記憶部２２に記憶されているテーブルＴ６から脈拍リズム情報Ｒｐのｉｄ値として３を抽出する。
同様に、対象特定部２３は、例えば抽出部２１から供給された血流リズム情報Ｒｂに含まれる周波数が０．５Ｈｚで振幅が６の場合、記憶部２２に記憶されているテーブルＴ７から血流リズム情報Ｒｂのｉｄ値として２を抽出する。
同様に、対象特定部２３は、例えば抽出部２１から供給された湿度リズム情報Ｒｈに含まれる周波数が０．００１Ｈｚで振幅が３の場合、記憶部２２に記憶されているテーブルＴ８から湿度リズム情報Ｒｈのｉｄ値として１を抽出する。
【００４３】
そして、対象特定部２３は、抽出した各リズム情報のｉｄ値と、図２のテーブルＴ１の各リズム情報のｉｄ値とを照合する。そして対象特定部２３は、抽出した画像リズム情報Ｒｙのｉｄ値が１で、抽出した動きリズム情報Ｒｍのｉｄ値が２で、図２のテーブルＴ１において、抽出した各リズム情報のｉｄ値（姿勢リズム情報Ｒａのｉｄ値が３で、接触リズム情報Ｒｓのｉｄ値が４で、脈拍リズム情報Ｒｐのｉｄ値が３で、血流リズム情報Ｒｂのｉｄ値が２で、湿度リズム情報Ｒｈのｉｄ値が１）と一致した各リズム情報に関連付けられた対象情報Ａを抽出する。これにより、対象特定部２３は検出対象を識別する対象情報Ａを抽出することにより、対象を特定することができる。
【００４４】
図１に戻って、出力部記憶部２４には、対象を示す対象情報と出力方法を示す情報（各出力部にどのリズム情報を振り分けるかという情報）とが関連付けられて記憶されている。ここで、図５を用いて、出力部記憶部２４に記憶されているテーブルの具体例について説明する。
【００４５】
図５は、出力部記憶部２４に記憶されているテーブルＴ９とテーブルＴ１０の一例である。図５（ａ）は出力部記憶部２４に記憶されているテーブルＴ９の一例である。テーブルＴ９には、対象情報と各出力部に振り分けられるリズム情報を識別するリズム識別情報とが関連付けられて記憶されている。テーブルＴ９の各値は、各カラムの出力部にどのリズム情報が振り分けられるかを示すためのリズム識別情報である。また、値が０の場合、そのカラムの出力部が選択されないことを意味する。
【００４６】
例えば、対象情報Ａについては、表示部３１にリズム識別情報１のリズム情報が振り分けられることが示されている。また、対象物Ｂの場合、表示部３１にリズム識別情報２のリズム情報が振り分けられ、光出力部３２にリズム識別情報３のリズム情報が振り分けられることが示されている。このように、テーブルＴ９では、対象情報に対して、各出力部に振り分けられるリズム情報の識別情報が一意に定まるようになっている。
【００４７】
図５（ｂ）は出力部記憶部２４に記憶されているテーブルＴ１０の一例である。テーブルＴ１０には、リズム情報を識別するリズム識別情報と当該リズム識別情報が指し示すリズム情報に各カラムのリズム情報が含まれるか否かの情報とが関連付けられて記憶されている。テーブルＴ１０の各値は、各カラムのリズム情報が各値が属する行のリズム識別情報が指し示すリズム情報に含まれるか否かが示されている。テーブルＴ１０の値が１の場合、その値が属する列のリズム情報がその値が属する行のリズム識別情報が指し示すリズム情報に含まれることを意味する。また、テーブルＴ１０の値が０の場合、その値が属する列のリズム情報がその値が属する行のリズム識別情報が指し示すリズム情報に含まれないことを意味する。
【００４８】
例えば、同図において、リズム識別情報が１の場合、そのリズム情報が画像リズム情報Ｒｙであることが示されている。また、リズム識別情報が２の場合、そのリズム情報が画像リズム情報Ｒｙと動きリズム情報Ｒｍとが合成されたリズム情報であることが示されている。
【００４９】
図１に戻って、出力方法決定部２５は、特定された対象に基づき、リズム情報に基づく信号の出力方法を決定する。ここで、リズム情報に基づく信号とは、制御部２６がリズム情報の出力先である出力ユニット３０が備える各出力部に応じた信号（例えば、映像信号、光出力信号、音声信号、振動信号）である。具体的には、出力方法決定部２５は、特定された対象を示す対象情報に対応付けられた出力方法を示す情報（各出力部にどのリズム情報を振り分けるかという情報）を出力部記憶部２４から読み出すことにより、各リズム情報を振り分ける出力部を決定する。
【００５０】
出力方法決定部２５は、出力部記憶部２４に記憶されているテーブルＴ９を参照して、対象情報に対応付けられた各出力部に振り分けられるリズム情報のリズム識別情報を読み出す。また、出力方法決定部２５は、出力部記憶部２４に記憶されているテーブルＴ１０を参照して、リズム識別情報に対応付けられたリズム情報の組み合わせを抽出する。これにより、出力方法決定部２５は、各出力部にどのリズム情報を振り分けるかという出力方法を決定し、決定した出力方法を示す情報を制御部２６に出力する。
【００５１】
具体的には、例えば、特定された対象を示す対象情報がＡだとすると、出力方法決定部２５は、図５（ａ）のテーブルＴ９を参照して、対象情報がＡの行において、各カラムの値を抽出することにより、表示部３１にリズム識別情報が１のリズム情報を出力し、他の出力部にはリズム情報を出力しないという情報を出力部記憶部２４から読み出す。そして、リズム識別情報が１だとすると、出力方法決定部２５は、リズム識別情報が１の行において、カラムの値が１となっているリズム情報である画像リズム情報Ｒｙを出力部記憶部２４から抽出する。これにより、出力方法決定部２５は、表示部３１に画像リズム情報Ｒｙを振り分けるという出力方法を決定する。
【００５２】
また、制御部２６は、出力方法決定部２５により決定された出力方法に基づいて、各リズム情報に基づく信号を出力ユニット３０が備える各出力部の少なくともいずれか１つに振り分ける。
具体的には、制御部２６は、出力方法決定部２５から入力された出力方法を示す情報（各出力部にどのリズム情報が振り分けられるかを示す情報）に応じて、各リズム情報をその出力先である出力部に応じたリズム情報に基づく信号（例えば、映像信号、光出力信号、音声信号、振動信号）に変換し、変換した各リズム情報に基づく信号（例えば、映像信号、光出力信号、音声信号、振動信号）を決定された各出力部に出力する。
【００５３】
例えば、出力方法決定部２５により動きリズム情報Ｒｍが表示部３１に振り分けられると決定された場合、制御部２６は、動きリズム情報Ｒｍが有する周波数および振幅の情報からその周波数と振幅で振動する波形を生成し、その波形から所定の時間間隔毎の値を輝度値として抽出し、その輝度値を示す映像信号を生成する。制御部２６は、生成された映像信号を表示部３１に出力し、表示部３１に映像を表示させる。
【００５４】
また、制御部２６は、各リズム情報に基づく信号を、同時に出力ユニット３０が備える複数の出力部から出力するよう制御する。
なお、制御部２６は、複数のリズム情報を合成して１つのリズム情報を生成し、生成されたリズム情報に基づく信号を、出力ユニット３０が備える１つの出力部から出力するように制御するようにしてもよい。具体的には、例えば、制御部２６は、抽出部２１により抽出された３つのリズム情報のうち、２つのリズム情報を選択し、その２つのリズムを表す２つの波形を有する信号を加算することにより、１つの波形を示す合成信号を生成する。制御部２６は、その生成された合成信号を出力ユニット３０の後述する振動部３４に出力することにより、その１つの波形を示す信号に基づいて振動部３４を振動させる。
【００５５】
また、例えば、制御部２６は、抽出されなかった残りの１つのリズム情報を所定の閾値を越えていたら５Ｖ、その所定の閾値以下なら０Ｖとなる矩形波状の電圧を示す信号に変換し、その矩形波状の電圧を示す信号を出力ユニット３０の後述する光出力部３２に出力する。これにより、振動部３４は、入力された合成信号に従って筐体を振動させ、光出力部３２は、入力された矩形波状の電圧を示す信号に従って光を点滅させることができる。
【００５６】
また、制御部２６は、出力方法決定部２５から入力された出力方法を示す情報を通信部４０に出力し、通信部４０にその出力方法を示す情報を他の電子装置に出力するよう制御する。
【００５７】
出力ユニット３０は、表示部３１と、光出力部３２と、音声出力部３３と、振動部３４とを備える。出力ユニット３０が備える上記各出力部は、制御部２６から入力されたリズム情報に基づく信号を出力する。
表示部３１は、制御部２６から入力された画像信号または映像信号を表示させる。表示部３１としては、例えば、液晶ディスプレイが設けられている。
光出力部３２は、制御部２６から入力された光出力信号に基づいて発光する。光出力部３２としては、例えば、発光ダイオードが設けられている。
【００５８】
音声出力部３３は、制御部２６から入力された音を出力させるために音声信号に基づいて、音を出力する。音声出力部３３としては、例えば、スピーカが設けられている。
振動部３４は、制御部２６から入力された筐体を振動させるための振動信号に基づいて、自装置の筐体を振動させる。振動部３４としては、例えば、リニアバイブレータが設けられている。
【００５９】
通信部４０は、外部との間で有線方式及び無線方式のうち少なくとも一方の方式によって情報の通信が可能となるように構成されている。通信部４０は、制御部２６から入力された出力方法を示す情報（各出力部にどのリズム情報が振り分けられるかを示す情報）を無線信号に符号化し、符号化した無線信号を他の電子装置に出力する。
【００６０】
当該無線信号を受信した他の電子装置は、無線信号を復号し、復号された出力方法を示す情報（各出力部にどのリズム情報が振り分けられるかを示す情報）に基づいて、自装置が備える出力部から映像または光または音を出力し、または自装置を振動させる。ここで他の電子装置は、少なくとも複数の出力部を備えていればよい。
【００６１】
これにより、他の電子装置を操作する操作者は、他の電子装置から出力される光、音もしくは振動を認識することにより、本実施形態の電子装置１の操作者を特定することができる。すなわち、本実施形態の電子装置１は、自装置から離れた位置にある他の電子装置（例えば、携帯端末）を操作する操作者に、本実施形態における電子装置１の操作者を、光、音もしくは振動で知らせることができる。
【００６２】
図６は、本発明の実施形態における電子装置１の処理の流れを示したフローチャートである。まず、検出部ユニット１０の各検出部は、検出対象の特徴を示す複数の信号を検出する（ステップＳ１０１）。次に、抽出部２１は、それぞれ検出された信号からリズム情報を抽出する（ステップＳ１０２）。次に、対象特定部２３は、各リズム情報の組み合わせに対応する対象情報を記憶部２２から読み出すことにより、検出対象を特定する（ステップＳ１０３）。
【００６３】
次に、出力方法決定部２５は、出力ユニット３０が有する出力部のうち、どの出力部にどのリズム情報を振り分けるか決定する（ステップＳ１０４）。次に、制御部２６は、決定された出力方法に基づいて各リズム情報に基づく信号を出力ユニット３０が有する各出力部に出力する（ステップＳ１０５）。次に、出力ユニット３０が有する各出力部は、リズム情報に基づく信号に基づいて、画像または映像の表示、光または音の出力、あるいは自装置の筐体の振動を行う（ステップＳ１０６）。以上で、本フローチャートの処理を終了する。
【００６４】
以上、電子装置１は、検出ユニット１０が備える複数の検出部により、検出の対象となる人または物の特徴を示す信号を複数種類検出する。そして、電子装置１は、検出された複数種類の信号のそれぞれについてリズムを検出し、そのリズム情報の組み合わせに基づいて対象を特定する。電子装置１は、特定された対象に応じて、検出された複数のリズム情報を複数の出力部にどのように振り分けるか決定し、その振り分け方に応じて、検出されたそれぞれのリズム情報に基づく信号を各出力部に出力する。各出力部は、入力されたリズム情報に基づく信号に基づいて、画像または映像、光、音もしくは振動を用いて外部に報知する。
【００６５】
これによれば、電子装置１は、検出の対象となる人または物の特徴に応じたパターンで画像または映像を表示させたり、光を点滅させたり、音を出力したり、自装置を振動させたりすることができる。また、電子装置１は、検出の対象となる人または物の特徴に応じた出力部の組み合わせで、画像または映像の表示と、光の点滅と、音の出力と、自装置の筐体の振動とを同時に行うことができる。
これにより、電子装置１が発する画像または映像と光と音と振動の出力パターンとそれらの出力の組み合わせ方を人間が認識することにより、人間は電子装置１が検出の対象とした人または物を推定することができる。
【００６６】
また、電子装置１が検出の対象を自装置の操作者とした場合、電子装置１は、操作者によって、画像または映像と光と音と振動とをどのように組み合わせて出力するかを示す組み合わせの情報を変更する。これにより、人間は電子装置１の操作者を視認しなくても、電子装置１が発する画像または映像と光と音と振動のパターンとそれらの組み合わせを認識することにより、電子装置１の操作者を区別して認識することができる。
【００６７】
なお、本実施形態の電子装置１は、７つの検出部と４つの出力部とを備えたが、これに限らず、複数の検出部と複数の出力部とを備えていれば、それぞれの数はいくつでもよい。
また、本実施形態の電子装置１は、異なる７つの検出部を備えるが、これに限らず同じ種類の検出部を複数備えていてもよい。
また、本実施形態の電子装置１は、異なる４つの出力部を備えるが、これに限らず同じ種類の出力部を複数備えていてもよい。
【００６８】
また、本実施形態の電子装置１の各処理を実行するためのプログラムをコンピュータ読み取り可能な記録媒体に記録して、当該記録媒体に記録されたプログラムをコンピュータシステムに読み込ませ、実行することにより、電子装置１に係る上述した種々の処理を行ってもよい。
【００６９】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００７１】
以上、本発明の実施形態について図面を参照して詳述したが、具体的な構成はこの実施形態に限られるものではなく、この発明の要旨を逸脱しない範囲の設計等も含まれる。
【符号の説明】
【００７２】
１…電子装置  １０…検出ユニット  １１…撮像部  １２…動き検出部  １３…姿勢検出部  １４…接触検出部  １５…脈拍検出部  １６…血流検出部  １７…湿度検出部  ２１…抽出部  ２２…記憶部  ２３…対象特定部  ２４…出力部記憶部  ２５…出力方法決定部  ２６…制御部  ３０…出力ユニット  ３１…表示部  ３２…光出力部  ３３…音声出力部  ３４…振動部  ４０…通信部  
【図１】
0005747645.tif 000002
【図２】
0005747645.tif 000003
【図３】
0005747645.tif 000004
【図４】
0005747645.tif 000005
【図５】
0005747645.tif 000006
【図６】
0005747645.tif 000007